(57)【特許請求の範囲】
【請求項１】
エレベータのかご室外に設置され、冷媒を圧縮する圧縮機、圧縮された冷媒の熱を放熱して液化するフィンを有する凝縮器、この液化された冷媒を蒸発させることにより周囲を冷却する蒸発器を有するエレベータ空気調和機であって、上記凝縮器の下方と上記蒸発器の下方にそれぞれ設けられ配管で接続された水溜皿と、上記凝縮器の所定間隔上方に設けられ上記水溜皿から送られたドレン水を受けてこのドレン水を上記凝縮器の上面の広範囲に滴下させるドレン水滴下穴を有するドレン水滴下装置と、上記ドレン水滴下装置の下側で上記凝縮器の上面に張付けられ、滴下された上記ドレン水を上記凝縮器上面に広げる保水部材とを備え、上記ドレン水滴下装置と上記保水部材との間隔が、上記ドレン水滴下装置に設けたドレン水滴下穴径より大きく、２倍以下であることを特徴とするエレベータ空気調和機。
【請求項２】
エレベータのかご室外に設置され、冷媒を圧縮する圧縮機、圧縮された冷媒の熱を放熱して液化するフィンを有する凝縮器、この液化された冷媒を蒸発させることにより周囲を冷却する蒸発器を有するエレベータ空気調和機であって、上記凝縮器の下方と上記蒸発器の下方にそれぞれ設けられ配管で接続された水溜皿と、上記凝縮器の所定間隔上方に設けられ上記水溜皿から送られたドレン水を受けてこのドレン水を上記凝縮器の上面の広範囲に滴下させるドレン水滴下穴を有するドレン水滴下装置と、上記ドレン水滴下装置の下側で上記凝縮器の上面に張付けられ、滴下された上記ドレン水を上記凝縮器上面に広げる保水部材とを備え、上記保水部材は上記ドレイン水滴下穴径より細い網目の網目状部材で構成されていることを特徴とするエレベータ空気調和機。
【請求項３】
エレベータのかご室外に設置され、冷媒を圧縮する圧縮機、圧縮された冷媒の熱を放熱して液化するフィンを有する凝縮器、この液化された冷媒を蒸発させることにより周囲を冷却する蒸発器を有するエレベータ空気調和機であって、上記凝縮器の下方と上記蒸発器の下方にそれぞれ設けられ配管で接続された水溜皿と、上記凝縮器の所定間隔上方に設けられ上記水溜皿から送られたドレン水を受けてこのドレン水を上記凝縮器の上面の広範囲に滴下させるドレン水滴下穴を有するドレン水滴下装置と、上記ドレン水滴下装置の下側で上記凝縮器の上面に張付けられ、滴下された上記ドレン水を上記凝縮器上面に広げる保水部材とを備え、上記保水部材は振幅方向が上下方向の波板状に形成され、この波の頂上部はドレン水滴下装置のドレン水滴下穴に接し、この波の底部は凝縮器のフィンと交叉する方向に設けられたものであることを特徴とするエレベータ空気調和機。
【請求項４】
エレベータのかご室外に設置され、冷媒を圧縮する圧縮機、圧縮された冷媒の熱を放熱して液化するフィンを有する凝縮器、この液化された冷媒を蒸発させることにより周囲を冷却する蒸発器を有するエレベータ空気調和機であって、上記凝縮器の下方と上記蒸発器の下方にそれぞれ設けられ配管で接続された水溜皿と、上記凝縮器の所定間隔上方に設けられ上記水溜皿から送られたドレン水を受けてこのドレン水を上記凝縮器の上面の広範囲に滴下させるドレン水滴下穴を有するドレン水滴下装置と、上記ドレン水滴下装置の下側で上記凝縮器の上面に張付けられ、滴下された上記ドレン水を上記凝縮器上面に広げる保水部材とを備え、上記凝縮器上面の保水部材上のドレン水が滴下する位置に、直径がドレン水滴下穴のピッチにほぼ等しく滴下したドレン水を拡散させる非吸水部材からなる板を設けたことを特徴とするエレベータ空気調和機。
【請求項５】
エレベータのかご室外に設置され、冷媒を圧縮する圧縮機、圧縮された冷媒の熱を放熱して液化するフィンを有する凝縮器、この液化された冷媒を蒸発させることにより周囲を冷却する蒸発器を有するエレベータ空気調和機であって、上記凝縮器の下方と上記蒸発器の下方にそれぞれ設けられ配管で接続された水溜皿と、上記凝縮器の所定間隔上方に設けられ上記水溜皿から送られたドレン水を受けてこのドレン水を上記凝縮器の上面の広範囲に滴下させるドレン水滴下穴を有するドレン水滴下装置と、上記ドレン水滴下装置の下側で上記凝縮器の上面に張付けられ、滴下された上記ドレン水を上記凝縮器上面に広げる保水部材とを備え、上記保水部材は不織布またはフェルトを用いて、水平面内を振幅とし上記ドレン水滴下穴のピッチにあった波長の波状に形成した部材とし、かつ、全てのドレン水滴下穴にこの保水部材が接するように配置したことを特徴とするエレベータ空気調和機。
【発明の詳細な説明】
【０００１】
【産業上の利用分野】
この発明はドレン水の自己処理装置を有する空気調和機、特にエレベータ空気調和機の特にドレン水の処理方法の改良に関するものである。
【０００２】
【従来の技術】
室内の冷暖房に使用される空気調和機は、冷却部（蒸発器）に室内空気中の水分が露として凝縮することは周知のとおりである。
エレベータに搭載される場合でもこのことは同様であるが、エレベータの場合生成した水（ドレン水）を放出する適当な場所が無いので、従来からこの生成水を蒸発させて処理する方法がとられている。
【０００３】
図２７は例えば特開昭５２−１４１０３４号公報に示された従来のエレベータ空気調和機を示す配置断面図である。
図において、１は蒸発器（図示せず）で生成したドレン水１００を貯水する水溜皿であり、凝縮器として作用する熱交換器３の下方に設けられ、仕切板２によって凝縮器下部のＡ側とそれに連通したＢ側に区画されている。
【０００４】
また図示しない蒸発器で生成されたドレン水１００はＡ側に導水されるように構成され、Ａ側には凝縮器として作用する熱交換器３、ポンプ４、ドレン水１００の吐出口５、ポンプ４と吐出口５を連通する配管６、吐出されたドレン水１００の拡散板７およびポンプ発停用の水位検知器８が配置されている。
【０００５】
また仕切板２は一旦Ａ側に貯水されたドレン水がＢ側にオーバフローし得るように、上端の一部または全部が水溜皿１の外周部の上縁より低く構成されている。また、水溜皿１のＢ側にはヒータ９およびヒータ通電用の水位検知器１０、圧縮機の停止用の水位検知器１１が配置されている。なお、１２は凝縮器の放熱用ファン（以後ファンと言う）である。
【０００６】
次に動作について説明する。図示しない蒸発器で生成されたドレン水１００が水溜皿１内のＡ側において所定水位に達したとき、水位検知器８によりポンプ４を作動させ、配管６を通り吐出口５よりドレン水を吐出させる。水は拡散板７に衝突拡散し凝縮器として作用している熱交換器３内に散水され、その自然落下中に冷媒の凝縮熱によって蒸発する。
【０００７】
Ａ側のドレン水処理装置のみでは蒸発しきらない場合には、ドレン水１００は仕切板２を通りＡ側よりＢ側にオーバーフローるので、水位検知器１０によりヒータ９に通電し、ドレン水を加熱して蒸発させる。さらに、ヒータ９によってもドレン水の蒸発処理能力が及ばないときには水位検知器１１により図示しない圧縮機を停止させることにより、蒸発器でのドレン水の生成そのものを停止させる。
【０００８】
【発明が解決しようとする課題】
従来の空気調和機は以上のように構成されているので、
（１）拡散板から凝縮器の上面へのドレン水の滴下が均等でなく偏る。
（２）偏って滴下したドレン水の一部が凝縮器の冷却フィンに付着せず、直接下に落下して蒸発効率が低下する。
（３）偏って落ちた水滴、あるいはフィンに付着している水が風力で外方へ吹き飛ばされて周囲雰囲気を悪化させる。
（４）蒸発が不十分という本来の目的外の原因のため空調動作が停止して不便になる。
（５）ドレン水中のゴミが凝縮器のフィンに堆積して、やがて放熱効率が低下してしまう。
などの問題点があった。
【０００９】
この発明は上記のような問題点を解消するためになされたもので、
（１）凝縮器へのドレン水の拡散が均一となり、水滴の付着が確実となる。
（２）蒸発効率が向上できる。
（３）蒸発能力を増すことにより空調を止める事態の発生が減少できる。
（４）ドレン水中のゴミがフィンに付着するのを防止できる。
ようなエレベータ空気調和機を得ることを目的とする。
【００１０】
【課題を解決するための手段】
この発明に係るエレベータ空気調和機は、凝縮器の下方と蒸発器の下方にそれぞれ設けられ配管で接続された水溜皿と、凝縮器の所定間隔上方に設けられ水溜皿から送られたドレン水を受けてこのドレン水を凝縮器の上面の広範囲に滴下させるドレン水滴下穴を有するドレン水滴下装置と、ドレン水滴下装置の下側で凝縮器の上面に張付けられ、滴下されたドレン水を凝縮器上面に広げる保水部材とを備え、ドレン水滴下装置と保水部材との間隔が、ドレン水滴下装置に設けたドレン水滴下穴径より大きく、２倍以下であるようにしたものである。
【００１１】
また、この発明に係るエレベータ空気調和機は、凝縮器の下方と蒸発器の下方にそれぞれ設けられ配管で接続された水溜皿と、凝縮器の所定間隔上方に設けられ水溜皿から送られたドレン水を受けてこのドレン水を凝縮器の上面の広範囲に滴下させるドレン水滴下穴を有するドレン水滴下装置と、ドレン水滴下装置の下側で凝縮器の上面に張付けられ、滴下されたドレン水を凝縮器上面に広げる保水部材とを備え、保水部材はドレイン水滴下穴径より細い網目の網目状部材で構成されているようにしたものである。
【００１２】
また、この発明に係るエレベータ空気調和機は、凝縮器の下方と蒸発器の下方にそれぞれ設けられ配管で接続された水溜皿と、凝縮器の所定間隔上方に設けられ水溜皿から送られたドレン水を受けてこのドレン水を凝縮器の上面の広範囲に滴下させるドレン水滴下穴を有するドレン水滴下装置と、ドレン水滴下装置の下側で凝縮器の上面に張付けられ、滴下されたドレン水を凝縮器上面に広げる保水部材とを備え、保水部材は振幅方向が上下方向の波板状に形成され、この波の頂上部はドレン水滴下装置のドレン水滴下穴に接し、この波の底部は凝縮器のフィンと交叉する方向に設けられたものである。
【００１３】
また、この発明に係るエレベータ空気調和機は、凝縮器の下方と蒸発器の下方にそれぞれ設けられ配管で接続された水溜皿と、凝縮器の所定間隔上方に設けられ水溜皿から送られたドレン水を受けてこのドレン水を凝縮器の上面の広範囲に滴下させるドレン水滴下穴を有するドレン水滴下装置と、ドレン水滴下装置の下側で凝縮器の上面に張付けられ、滴下されたドレン水を凝縮器上面に広げる保水部材とを備え、凝縮器上面の保水部材上のドレン水が滴下する位置に、直径がドレン水滴下穴のピッチにほぼ等しく滴下したドレン水を拡散させる非吸水部材からなる板を設けたものである。
【００１４】
また、この発明に係るエレベータ空気調和機は、凝縮器の下方と蒸発器の下方にそれぞれ設けられ配管で接続された水溜皿と、凝縮器の所定間隔上方に設けられ水溜皿から送られたドレン水を受けてこのドレン水を凝縮器の上面の広範囲に滴下させるドレン水滴下穴を有するドレン水滴下装置と、ドレン水滴下装置の下側で凝縮器の上面に張付けられ、滴下されたドレン水を凝縮器上面に広げる保水部材とを備え、保水部材は不織布またはフェルトを用いて、水平面内を振幅としドレン水滴下穴のピッチにあった波長の波状に形成した部材とし、かつ、全てのドレン水滴下穴にこの保水部材が接するように配置したものである。
【００２４】
【作用】
この発明の保水部材とドレン水滴下装置との隙間は、ドレン水滴下穴部からの滴下が連続した水柱状となり保水部材への通水量が増える。
【００２５】
この発明による網目状の保水部材はゴミによる目詰まりを減らす作用がある。
【００２６】
この発明の波板状保持部材はドレン水滴下装置のドレン水滴下穴部と保水部材間に異物の堆積を減らし、上記穴部の目詰りを減らす作用がある。
【００３１】
この発明の保水部材は、波状としたのでドレン水滴下穴部からの導水が直下部および蛇行状に拡散して凝縮器に滴下される。
【００３２】
この発明の吸引ファンは、飛沫の周囲への飛散を防止して飛沫を回収することが出来る。
【００３３】
【実施例】
実施例１．
以下、第１および第１３の発明を図について説明する。図１〜図３において、２０はビル内等の所定空間部を昇降するエレベータ（図示せず）のかご室外方の例えば頂部に設置された空気調和機で、冷媒ガスを圧縮する圧縮機２１、圧縮された冷媒ガスを放熱して液化する凝縮器２２、液化された冷媒を蒸発させる蒸発器２３の等の機器を冷媒管路２４で接続した冷凍サイクルを有している。２５、２６は凝縮器２２、蒸発器２３の下方にそれぞれ設けられた水溜皿で配管２７で接続されている。
【００３４】
２８はドレンポンプ等の送水装置３０で凝縮器２２の水溜皿２５から送られたドレン水を受けてドレン水滴下穴部２９から水を凝縮器２２の上面に広範囲に万辺に滴下させるドレン水滴下装置である。
図２は図１の部分拡大図であり、３１は繊維状または不織布状部材からなる布板状で通水可能な（例えばフェルト等）保水部材で、凝縮器２２の上面の形状に沿って上部全面に設けられており、ドレン水滴下装置２８の下面との間に所定間隔が設けられている。
【００３５】
ここで、所定間隔とは水滴がドレン水滴下装置２８から離れて自由に落下するに足るだけの空間が、ドレン水滴下装置２８と保水部材３１の間にあることを意味する。３２は凝縮器の側部に設けられた送風機であり、ここではファン３２から凝縮器２２の方向に送風している場合を示している。
【００３６】
次に動作について説明する。エレベータの昇降に伴う空気調和機２０の稼動により、蒸発器２３の表面に発生した水分が滴下し水溜皿２６内のドレン水１００として溜まる。このドレン水１００は配管２７により凝縮器２２の下部に設けられた水溜皿２５内に導水されて溜水となる。このドレン水が所定量に達すると水位検知器（図示せず）の指令により送水装置３０が作動して水溜皿２５内からドレン水滴下装置２８内に導水し、図３に示すように平均して複数個設けられたドレン水滴下穴部２９から下方へ滴下する。
【００３７】
このドレン水は所定空間を経て保水部材３１にまず点状で滴下し、次に保水部材３１中を横方向に拡散しながら下方へ導水され、凝縮器２２の表面、例えば冷却フィン（図示せず）の表面にほぼ均一に付着しながら下方へ通水する。この際、凝縮器２２は高温の冷媒によりおよそ５０〜６０°Ｃに昇温しているので、その熱によりドレン水が蒸発し、送風機３２の風力で大気中に蒸散し、エレベータ用空間部に設けられた通風口から排気ファン（図示せず）等により排出される。蒸発されずに残ったドレン水は水溜皿２５に導水され、上記蒸発動作を繰返す。保水部材３１はフェルトや漉紙、布などでも良い。
図３に示すドレン水適下穴２９は円形に限らず長円、楕円、四角などでもよい。
【００３８】
保水部材３１でゴミが除去されるので、凝縮器のフィンにゴミがたまって放熱効果が低下することも少なくなる。ドレン水滴下装置の下面と保水部材３１の間に適当な隙間があるので、穴２９がゴミで詰まることはない。ゴミは保水部材３１内に取り込まれ凝縮器のフィンに堆積しない。
【００３９】
実施例２．
実施例１の図３のドレン水適下穴部２９は、充分拡散させるためには穴の数が多くなければならないが、このとき穴の径が大きすぎると、水が全面に行き渡る前に下方へ落ちてしまうので、穴は適度に小さくなければならない。しかし小さすぎると必要な水量が出ないという問題が生じる。そこで、穴の径は小さくとも水はよく通るような工夫が必要である。
【００４０】
図４は、このような目的のための第２の発明を示すもので、図中、実施例１と同番号のものは同一または相当品を示すので詳細な説明は省略する（以後各図、同様とする）。凝縮器２２の上面に張り付け付着された保水部材３１の上面にドレン水滴下装置２８を接触させて設置する。この状態で水溜皿２５から送水装置３０で導水されたドレン水はドレン水滴下装置２８内に吐出され、ドレン水滴下穴部２９から直接保水部材３１に流出吸収されて拡散しながら凝縮器２２の表面に均一に導水され、実施例１と同様の動作により蒸発処理される。
ドレン水滴下穴部２９と保水部材３１とを直接接触させることにより毛細管作用によりドレン水の導水吸収が容易となる。
【００４１】
実施例３．
実施例２の方法では、ドレン水適下穴２９に保水部材３１が接しているため、ここでゴミが詰まりやすい。これを改良した第３の発明を示す。
図５、図６は第３の発明を示すもので、図において、３３は保水部材３１の端部を上方に折曲げて重ねた積層部、３４は空間部である。なお、その他の構成は実施例２と同様なので説明を省略する。
【００４２】
凝縮器２２の上面に付着された保水部材３１の端部の積層部３３の上面に接して、ドレン水滴下装置２８が設置されると、上記積層部以外のドレン水滴下装置２８の下面と保水部材３１の上面間にわずかな空間部３４が形成される。この空間部３４に対しているドレン水滴下装置の下面に小円径の（穴が細長いときは短径が小さい）ドレン水滴下穴部２９が設けられている。
【００４３】
この状態で実施例２と同様に水溜皿２５からドレン水滴下装置２８に導水されたドレン水は、小円径のドレン水滴下穴部２９から下方に垂れ下がり表面張力でほぼ半球状を形成しながら次第に増大する。このとき水の表面張力は水を上方に引く方向に作用しており水の出が減る方向に作用する。しかし、やがて垂れ下がった下端が保水部材３１に達すると、表面張力は今度は水を下方へ引くように作用する。空間部３４の寸法が適度に調節されていると、この動作が連続して行なわれ順次ドレン水が凝縮器２２の表面に導水されるので、水は連続した柱状となる。
【００４４】
空間部３４の寸法はドレン水適下穴２９の径とほぼ同じで、例えばその１〜２倍程度であることが好ましい。これより狭いと保水部材３１が穴を塞ぐ形になり、ゴミがつまり易く、これより大きいと水が途切れて落下するからである。
水が柱状となって流れているときは、水を上方に引く表面張力は殆ど働かないので、水を滴下させるときよりも同じ穴の大きさでも水の通りが良くなる。
【００４５】
なお、上記実施例では積層部３３は保水部材３１を折り曲げたものを示したが、ドレン水滴下穴部２９の穴径寸法に応じ、所定厚みの部材を積層して最適寸法の空間部３４を設けても良い。このように水滴でなく水柱状に保水部材３１に導水するので滴下量が一定で確実に滴下できる。
【００４６】
実施例４．
通水性と水の拡散およびゴミの回収をよりよく行なう第４の発明を次に示す。図７、図８は第４の発明を示すもので、図において、３５は不織布やフェルト等よりは目の荒い網状の保水部材で、ドレン水滴下穴部２９の穴径よりも細い網目が設けられている。なお、その他の構成は実施例２と同様なので説明を省略する。凝縮器２２上面に付着された網状の保水部材３５は、ドレン水滴下穴部２９より小径の、たとえば２〜３ｍｍの空間部を有する繊維部材（例えばスポンジ、サランネットなど）で構成されたもので、その上面に接してドレン水滴下装置２８が設置される。
【００４７】
この状態で水溜皿２５からドレン水滴下装置２８に導水されたドレン水は、ドレン水滴下穴部２９から下方に落下して網状の保水部材３５と接触し、より拡散された上、下方の凝縮器２２の表面に網目に沿って均一に導水され蒸発処理される。
【００４８】
ドレン水滴下装置２８と網状保水部材３５は密着状態である。稼動中にゴミ等が混入したドレン水がドレン水滴下穴部２９から保水部材３５に流出する際、通水部材３５が布板状であればこのゴミが表面に堆積して穴部を塞ぎ通水を防げるが、網状で空間部の寸法が大きいのでゴミ等の堆積がなくなる。
【００４９】
実施例５．
図９は第５の発明を示すもので、図において、３６は上下方向の波状に成形され水平方向に連続している波状保水部材で、波のピッチ間隔はドレン水滴下穴部２９のピッチ間隔とほぼ同じになっている。なお、その他の構成は実施例２と同様なので説明を省略する。凝縮器２２の上面に設置された波状保水部材３６の上面に接してドレン水滴下装置２８を支持枠（図示せず）で支持する。
【００５０】
この際、波状保水部材３６の波状の頂部はドレン水滴下穴部２９と接し、波状の下部は凝縮器２２の冷却フィン（図示せず）の方向と交差するように配設されている。この状態で水溜皿２５からドレン水滴下装置２８に導水されたドレン水１００は、ドレン水滴下穴部２９から下方に落下して波状保水部材３６の頂部から底部へ斜行して、より広範囲に凝縮器２２の表面に導水され蒸発処理される。
【００５１】
実施例６．
図１０は第６及び第７の発明を示すもので、図において、３７は例えば吸水プラスチック等からなり厚さが薄く、目地が粗い吸水通風部材で、凝縮器２２の風上側でほぼ同面積で相対して凝縮器２２から突出した保持枠３７ａで保持され、下端部が水溜皿２５内に突出するように設けられている。これは給水手段である。吸水通風部材３７は、親水性多孔質プラスチック、ウェットファイバー、透質膜、などでもよい。
【００５２】
なお、その他の構成は実施例２と同様なので説明を省略する。吸水通風部材３７は水溜皿２５内に設けた下端部からドレン水を毛管作用で吸水し全表面に均一に付着し、この状態で送風機３２の風力により付着したドレン水が吹き飛ばされて風下の凝縮器２２に付着し加熱されて蒸発する。凝縮器２２に付着した保水部材３１から滴下したドレン水と、吸水通風部材３７から飛来したドレン水は凝縮器２２表面を滴下しながら実施例２と同様の動作により蒸発処理される。
なお、上記実施例では、保水部材３１と吸水通風部材３７とを共に用いたものを示したが、吸水通風部材３７のみを使用し保水部材３１は用いなくても良い。
【００５３】
実施例７．
図１１は第７の発明の他の例を示すもので、３８は吸水通風部材３７の上部まで延長されたドレン水滴下装置で、吸水通風部材３７の上部位置に複数のドレン水滴下穴部３９が設けられている。
なお、その他の構成は実施例６と同様なので説明を省略する。凝縮器２２の風上側に設けられた吸水通風部材３７の下端部が水溜皿２５内に設けられ、上端部はドレン水滴下装置３８の一部のドレン水滴下穴部３９と接して設けられている。
【００５４】
ドレン水滴下装置３８に導水されたドレン水は、ドレン水滴下穴部３９から吸水通風部材３７の上端部に導水される。これは給水手段である。
吸水通風部材３７はドレン水を上記のように上端部から導水滴下すると共に、下端部からは水溜皿２５から吸い上げて全面に着水させ、送風機の風力および凝縮器２２の保有熱で蒸発処理される。
なお、上記実施例では保水部材３１と吸水通風部材３７とを共に用いたものを示したが、吸水通風部材３７のみを使用し保水部材３１は用いなくても良い。
【００５５】
実施例８．
図１２は第８の発明を示すもので、図において、４０は一般の空調機にゴミ除去のため用いられている細網目状のフィルタ（例えばサランネット、不織布）で凝縮器２２の風下側で風に相対して凝縮器２２から突出した保持枠４０ａで保持されている。なお、その他の構成は実施例２と同様なので説明を省略する。
【００５６】
実施例２と同様に、凝縮器２２上面に付着された保水部材３１に導水されたドレン水は凝縮器２２の表面を滴下しながら蒸発し、一部が送風機３２の風力で吹き飛ばされて風下に立設されているフィルタ４０に付着する。付着したドレン水はフィルタ面を伝って滴下し、下部に設けられている水溜皿２５内に導水され、再び、上記蒸発動作を繰返す。
したがって、水滴が周囲に飛び散って周囲を汚すということが無い。フィルタ４０は一枚だけでなく何段にも重ねて用いてもよい。
【００５７】
実施例９．
図１３は第８の発明の他の例を示すもので、図において、４１は例えば加湿器等に用いられている厚布状の吸水プラスチック等からなる吸水通風部材で、凝縮器２２とほぼ同寸法で、下縁が水溜皿２５の上部に所定空間を設けて風下側に相対して凝縮器２２から突出した保持枠４１ａで保持されている。
【００５８】
なお、その他の構成は実施例２と同様なので説明を省略する。実施例２と同様に、凝縮器２２上面に付着された保水部材３１に導水されたドレン水は凝縮器表面を滴下しながら蒸発し、残りの一部は水溜皿２５内に滴下し、一部は送風機３２の風力で吹き飛ばされて風下の吸水通風部材４１に付着する。吸水通風部材４１に付着したドレン水の水滴は部材に拡散し、凝縮器２２と熱交換して昇温した送風機３２により温風で蒸発される。
【００５９】
実施例１０．
図１４は第９の発明を示すもので、３８は吸水通風部材４１の上部まで延長されたドレン水滴下装置で、吸水通風部材４１の上部位置に複数のドレン水滴下穴部３９が設けられている。なお、その他の構成は実施例９と同様なので説明を省略する。凝縮器２２の上面に付設した保水部材３１と吸水通風部材４１とのそれぞれの上面に接してドレン水滴下装置３８が保持される。
【００６０】
上記実施例と同様の方法で水溜皿２５からドレン水滴下装置３８に導水されたドレン水１００は、ドレン水滴下穴部３９から一部が保水部材３１を介して凝縮器２２表面を滴下しながら保有熱で蒸発し、また、滴下水の一部を送風機３２の風力で吹き飛ばされて風下の吸水通風部材に吸着する。さらに、吸水通風部材４１の風上側に位置するように設けられたドレン水滴下穴部３９からドレン水の一部が滴下し吸水通風部材４１の風上側の面を重点的にして滴下する。このようにして吸水通風部材４１に付着したドレン水は凝縮器２２によって昇温された送風機３２による温風で蒸発される。
【００６１】
実施例１１．
図１５は第８の発明の他の例を示すもので、凝縮器２２の風下側に吸水プラスチック４１が、凝縮器２２から突き出した短い保持枠４１ａで下端部を保持され、長い保持枠４１ｂで上端部を保持され、傾斜して設けられている。
ている。なお、その他の構成は実施例８と同様なので説明を省略する。
【００６２】
実施例８と同様に、凝縮器２２の上面に付着された保水部材３１に導水されたドレン水は凝縮器表面を滴下しながら蒸発し、残りの一部は水溜皿２５内に滴下し、一部は送風機３２の風力で吹き飛ばされて風下に傾斜して設けられた吸水プラスチック４１の傾斜面に沿って上方へ移動しながら微細な水粒は上方へ飛散し、水滴状の大なる水粒は吸水プラスチック４１に吸収され水温皿２５に吸水される。
【００６３】
実施例１２．
図１６は第８の発明の他の例を示すもので、４２は凝縮器２２の風下側に幅方向に湾曲し、凸面が凝縮器２２と相対して保持枠４２ａで所定距離を置いて設けそれに湾曲吸水プラスチックである。なお、その他の構成は実施例８と同様なので説明を省略する。凝縮器２２の上面に付着された保水部材３１に導水されたドレン水は凝縮器表面を滴下しながら蒸発し、残りの一部は水溜皿２５内に滴下し、一部は送風機３２の風力で吹き飛ばされて風下に幅方向に湾曲して設けられた湾曲吸水プラスチック４２の凸面の湾曲面に沿って左右方向に分流して移動しながら微細な水粒は横方向へ飛散し、水滴状の大きな水粒は湾曲吸水プラスチック４２に吸水され水溜皿２５に吸水される。
【００６４】
実施例１３．
図１７は第８と第９の発明を同時に実施した例で、凝縮器２２の風下側に、下端部を水溜皿２５内に設けた吸水通風部材３７とフィルタ４０とが凝縮器２２から突出した保持枠４０ａで相対して保持されている。なお、その他の構成は実施例２と同様なので説明を省略する。実施例２と同様にドレン水滴下装置２８から滴下したドレン水は保水部材３１を介して凝縮器２２の表面を滴下しながら保有熱で蒸発され、一部のドレン水が送風機３２の風力で吹き飛ばされて風下側に設けられた吸水通風部材３７に付着する。
【００６５】
また、吸水通風部材３７は水溜皿２５内に設けた下端部からドレン水を毛管作用で吸水して（即ち、これが給水手段である）表面に均一に保水し、上記凝縮器２２から飛来した水滴と一緒に送風機３２による温風で蒸発させる。この際、上記温風で吸水通風部材３７から水滴が吹き飛ばされても風下に設けられたフィルタ４０で捕捉されて水溜皿２５内に滴下導水される。
【００６６】
実施例１４．
図１８は第６の発明の他の例を示すもので、図において、４３は凝縮器２２の上面と風上側面とに連通する厚みが薄い吸水プラスチック等からなる保水部材である。なお、その他の構成は実施例２と同様なので説明を省略する。実施例２と同様にドレン水滴下装置２８から滴下したドレン水は保水部材４３の上面に滴下し、部材内を拡散浸水して側面部にもドレン水を供給する。
【００６７】
これらドレン水は、保水部材４３の上部から凝縮器２２に均一に滴下し、また、側面部に付着したドレン水は送風機３２の風力で凝縮器２２に吹き付けられる。これら凝縮器２２に付着したドレン水は上記実施例と同様に保有熱で蒸発処理される。
【００６８】
実施例１５．
図１９は第８の発明の他の例を示すもので、図において４４は凝縮器２２の上面と風下側面とに連通して付着する厚みが厚い吸水プラスチック等からなる保水部材である。なお、その他の構成は実施例２と同様であるので説明を省略する。実施例２と同様にドレン水滴下装置２８から滴下したドレン水は保水部材４４の上面に滴下し、部材内を拡散侵入して側面部にもドレン水を供給する。
【００６９】
これらドレン水は保水部材４４の上部から凝縮器２２に均一に導水され滴下しながら一部が保有熱で蒸発され、他の一部は水溜皿２５に滴下し、さらに他の一部は送風機３２の風力で吹き飛ばされて風下側面部の吸水通風部材４４に捕捉付着され、上記部材内を導水されたドレン水と共に送風機３２による温風によって蒸発される。
【００７０】
実施例１６．
図２０は第８の発明の他の例を示すもので、図において、４５は例えば商品として販売されている幼児のオムツ「パンパース」（商品名）等に使用されている一方向通水部材で、凝縮器２２の上面に一側が付着し風下側面に下方に所定角度で傾斜する傾斜面４５ａを連通して保持枠４５ｂで保持して設けられて上面から下面方向へのみ通水可能に設けられている。
【００７１】
なお、その他の構成は実施例２と同様なので説明を省略する。実施例２と同様にドレン水滴下装置２８から滴下したドレン水は一方向通水部材４５の上面にまず滴下し部材内を通過しながら拡散して凝縮器２２上面に広く滴下させ、この滴下により凝縮器２２の表面を伝って下降しながら内部保有熱で蒸発される。送風機３２から送られる風力で上記滴下中のドレン水が吹き飛ばされても、このドレン水の水滴は風下側に下方に傾斜している傾斜面４５ａに沿って流れながら微細な水粒は開口部から飛散し、水滴状の大きな水粒は傾斜面４５に沿って流れ下方の水溜皿２５に吸水される。
【００７２】
実施例１７．
図２１は第１１の発明を示すもので、図において、４６は多孔質で通水性のあるスポンジ状プラスチックの保水部材で、表面に多孔の平面状の硬質部４６ａが設けられている。なお、その他の構成は実施例１と同様なので説明を省略する。実施例１と同様に水溜皿２５からドレン水滴下装置２８に導水されたドレン水は、ドレン水滴下穴部２９から所定空間を介して保水部材４６の上面の硬質部４６ａにまず当り、多孔質の硬質部４６ａの微細な穴に広がりながら浸水する。このように拡散されたドレン水は凝縮器２２の上面に均一に導水され、凝縮器表面を滴下しながら自己保有熱で蒸発される。
【００７３】
実施例１８．
図２２、図２３は第１０の発明の他の例を示すもので、図において、４７は保水部材で、上面のドレン水滴下位置に例えば薄いプラスチック板からなる非吸水部材４８が複数個（滴下穴の数だけ）配設されている。なお、その他の構成は実施例１と同様なので説明を省略する。図２３は図２１の滴下部の拡大図である。
【００７４】
実施例１と同様に水溜皿２５からドレン水滴下装置２８に導水されたドレン水は、ドレン水滴下穴部２９から所定空間を介して保水部材４７の上面の非吸収部材４８に落下する。水滴状で落下したドレン水はまず排吸水部材４８上に衝突して非吸水部材４８の表面全体に拡散して周囲の縁部から下面の保水部材４７に浸水する。このように非吸水部材４８を基面として拡散したドレン水は凝縮器２２の上面にほぼ均一に導水され、凝縮器表面を滴下しながら蒸発される。
【００７５】
実施例１９．
図２５、図２６は第１１の発明を示すもので、図において、５０は所定高さで平面において一方向に連続して屈曲する波状保水部材で、波状のピッチ間隔はドレン水滴下穴部２９のピッチ間隔とほぼ同じに設けられている。なお、その他の構成は実施例２と同様なので説明を省略する。凝縮器２２上面の載置され平面において一方向に連続して波状となる波状保水部材５０の上面に当接してドレン水滴下装置２８を支持枠（図示せず）で支持する。
【００７６】
この際、波状保水部材５０の一部はドレン水滴下穴部２９と接しているので、ドレン水は波状保水部材５０に従って蛇行状に下部の凝縮器２２の冷却フィン（図示せず）に滴下される。これ以後の動作は実施例２と同様なので説明を省略する。
なお、波状保水部材５０は平面において、広幅で設けても良く、また、細幅で設け、ドレン水滴下穴部２９のピッチ間隔間に複数個の波状が形成されるようにすれば効果が増大する。
【００７７】
実施例２０．
図２４は第１２の発明を示すもので、図において、４９は吸引ファンで吸込口が凝縮器２２に対面し、吐出口が上方に向くように配設されている。なお、その他の構成は実施例１と同様なので説明を省略する。実施例１と同様にドレン水滴下装置２８に導水されたドレン水はドレン水滴下穴部２９から保水部材３１上に滴下され、拡散しながら凝縮器２２の表面を滴下しながら自己保有熱で蒸発する。
【００７８】
この蒸発水、および風で飛散した水は吸引ファン４９で横方向から吸引され吐出口から上方に向けて所定風力で吐出され、エレベータ用空間部の上方に設けられて通風口から排気ファン（図示せず）により外方へ排出される。
また、水滴状でファン内に吸い込まれた水は、ファンの遠心力により、ファンケースの壁面内側に付着した後、ファン下部の水抜き穴６０から水溜皿２５内に回収される。
【００７９】
なお、上記実施例１〜２０はエレベータのかご室外方の頂部に設置したものを示したが、外方の床下部に設けてもよく、またエレベータに限らず、ドレン水の自己処理を要するものに設置することも可能であり、排水処理の人手を要しない効果がある。
【００８０】
【発明の効果】
この発明によれば、
（１）ドレン水を保持部材で拡散して凝縮器表面に均一に拡散させることができるので蒸発効率が向上する効果が得られる。
（２）ドレン水が凝縮器表面に均一に拡散する結果、凝縮機にかからず直接下に落ちてしまう水がなくなり蒸発効率が向上する。
（３）蒸発能力が向上するので、ドレン水がたまって空調を停止しなければならなくなることが減少する。
（４）ドレン水中のゴミが、凝縮機のファンに送られる前に保水部材で濾し取られ、フィンに堆積することがなくなる。
という効果が得られる。
【００８１】
さらに、上記効果に加えて、
（５）フィンに付いた水滴が冷却フィンの風力で外方へ吹き飛ばされて周囲雰囲気を汚すことがなくなるという効果がある。
【００８２】
さらに、上記効果に加えて、
（６）凝縮器以外の部分でも水を蒸発させることが出来るので、装置全体としての蒸発能力を増すことが出来る。
という効果がある。
【図面の簡単な説明】
【図１】この発明の実施例１によるエレベータ空気調和機を示す概要図である。
【図２】図１の要部を示す正面図である。
【図３】図２の平面図である。
【図４】実施例２を示す正面図である。
【図５】実施例３を示す正面図である。
【図６】図５の要部詳細図である。
【図７】実施例４を示す正面図である。
【図８】図７の詳細平面図である。
【図９】実施例５を示す正面図である。
【図１０】実施例６を示す正面図である。
【図１１】実施例７を示す正面図である。
【図１２】実施例８を示す正面図である。
【図１３】実施例９を示す正面図である。
【図１４】実施例１０を示す正面図である。
【図１５】実施例１１を示す正面図である。
【図１６】実施例１２を示す正面図である。
【図１７】実施例１３を示す正面図である。
【図１８】実施例１４を示す正面図である。
【図１９】実施例１５を示す正面図である。
【図２０】実施例１６を示す正面図である。
【図２１】実施例１７を示す正面図である。
【図２２】実施例１８を示す正面図である。
【図２３】図２２の要部詳細図である。
【図２４】実施例１９を示す正面図である。
【図２５】実施例２０を示す正面図である。
【図２６】図２５の平面図である。
【図２７】従来の空気調和機を示す概要図である。
【符号の説明】
２０  空気調和機        ２２  凝縮器              ２５  水溜皿
２８  ドレン水滴下装置  ２９  ドレン水滴下穴部    ３１  保水部材
３２  送風機            ３３  積層部              ３４  空間部
３５  網状の保水部材    ３６  波状保水部材        ３７  吸水通風部材
３８  ドレン水滴下装置  ３９  ドレン水滴下穴部    ４０  フィルタ
４１  吸水通風部材      ４２  第１のフィルタ
４２ａ  第２のフィルタ  ４３  保水部材            ４４  保水部材
４５  一方向通風部材    ４６  保水部材            ４７  保水部材
４８  排吸水部材        ４９  吸引ファン          ５０  波状保水部材
６０  水抜き穴          １００ドレン水
【図１】
0003556730.tif 000002
【図２】
0003556730.tif 000003
【図３】
0003556730.tif 000004
【図４】
0003556730.tif 000005
【図５】
0003556730.tif 000006
【図６】
0003556730.tif 000007
【図７】
0003556730.tif 000008
【図８】
0003556730.tif 000009
【図９】
0003556730.tif 000010
【図１０】
0003556730.tif 000011
【図１１】
0003556730.tif 000012
【図１２】
0003556730.tif 000013
【図１３】
0003556730.tif 000014
【図１４】
0003556730.tif 000015
【図１５】
0003556730.tif 000016
【図１６】
0003556730.tif 000017
【図１７】
0003556730.tif 000018
【図１８】
0003556730.tif 000019
【図１９】
0003556730.tif 000020
【図２０】
0003556730.tif 000021
【図２１】
0003556730.tif 000022
【図２２】
0003556730.tif 000023
【図２３】
0003556730.tif 000024
【図２４】
0003556730.tif 000025
【図２５】
0003556730.tif 000026
【図２６】
0003556730.tif 000027
【図２７】
0003556730.tif 000028